(57)【要約】【課題】  従来の空気調和機では、本体配管と外部配管とを接続する作業は、スペースがない、狭い場所での作業であり、やりにくい作業であるが、これに対する配慮がなされていない。また、特に、天井埋込型空気調和機等の場合は、スペース的に制限され作業がやりにくいうえに、付着の露が天井等に滴下し、天井材等を汚損し易いという問題があった。【解決手段】  本発明においては、第１の外板と第２の外板とで形成された、外箱の切欠き部に配置された２個の冷媒配管接続部を有し、この２個の冷媒配管接続部は、第１の外板の面上に投影した２個の冷媒配管接続部の投影部が左右方向及び上下方向に間隔を有するように配置され、また、下方にドレン受部品を設置した。【選択図】        図１
2005147487.tif 000002
【特許請求の範囲】
【請求項１】
熱交換器、ファン等を収容し、前記ファンにより空気を吸込む吸込口と前記熱交換器で空調後の空気を吹出す吹出口を持つ外箱と、
前記外箱の一部を構成し、上下方向に配置された第１の外板であって、前記熱交換器の２本の冷媒配管が前記熱交換器側から突出する第１の外板と、
同じく前記外箱の一部を構成し、前記第１の外板と直交して上下方向に配置され、前記熱交換器の冷媒配管の突出方向に向かって延設された第２の外板と、
外部冷媒配管と接続される冷媒配管接続部であって、前記第１の外板と前記第２の外板とで形成された、前記外箱の切欠き部に配置され、前記熱交換器の２本の冷媒配管の先端部である２個の冷媒配管接続部とを備え、
前記２個の冷媒配管接続部は、前記第１の外板の面上に投影した前記２個の冷媒配管接続部の投影部が、左右方向及び上下方向に間隔を有するように配置されたことを特徴とする室内機本体。
【請求項２】
前記２個の冷媒配管接続部は、前記第１の外板の面上に投影した前記２個の冷媒配管接続部の投影部が左右方向及び上下方向に間隔を有し、かつ、前記第２の外板に近い方の冷媒配管接続部が遠い方の冷媒配管接続部より下となるように傾斜して配置され、
また、前記第１の外板の上部と前記第２の外板の上部から、前記冷媒配管接続部の上方に延設する一体の配管固定具取付部を設け、該配管固定具取付部の底面を前記２個の冷媒配管接続部の傾斜した配置に対応して傾斜させたことを特徴とする請求項１に記載の室内機本体。
【請求項３】
上部及び前記第１の外板側が開口し、前記第１の外板側と反対側に外部冷媒配管が通る通過口を有する断面略Ｕ字状のドレン受け部品を、前記冷媒配管接続部を下から囲うように、また、前記第１の外板側が下に傾くように設置し、前記冷媒配管接続部からの滴下水を受け、前記第１の外板側の開口から下方に配置されたドレンパンに流すことを特徴とする請求項１又は請求項２に記載の室内機本体。
【請求項４】
一方の面に凸部を有し、他方の面に凹部を有する板状体である配管固定板を前記配管固定具取付部の底面に取付け、前記冷媒配管接続部に接続した外部冷媒配管の外径の大小に応じて、外径が大のときは、凹部側が外側となるように取付け、外径が小のときは、凸部側が外側となるように取付けたことを特徴とする請求項３に記載の室内機本体。
【請求項５】
前記配管固定具取付部の底面を前記２個の冷媒配管接続部の傾斜した配置に対応して傾斜させるとともに、前記第１の外板側が反対側より上となるように傾けたことを特徴とする請求項２〜請求項４のいずれかの請求項に記載の室内機本体。
【請求項６】
請求項１〜請求項５のいずれかの請求項に記載の室内機本体と、前記室内機本体に接続され、室内に空調空気を吹出す吹出グリルと、前記室内機本体に風路により接続され、室内の空気を吸込む吸込グリルと、前記室内機本体と冷媒配管で接続される室外機とを備えたことを特徴とする空気調和機。
【発明の詳細な説明】
【技術分野】
【０００１】
本発明は室内機本体及びこれを用いた空気調和機に関し、特に室内機本体の熱交換器の配管を室内機本体外の配管に接続する配管接続部関連の改良に関するものである。
【背景技術】
【０００２】
従来の空気調和機の冷媒配管接続に関しては、本体内で冷媒配管接続する天吊り形の空気調和機で、冷媒配管接続口の下方に着脱自在にドレン受けを設けたものがある（例えば、特許文献１参照。）。
【特許文献１】実開昭５６−１７２６１３号公報（第１頁、第２頁、第２図、第３図）
【発明の開示】
【発明が解決しようとする課題】
【０００３】
しかしながら、上記従来の空気調和機では、本体配管と外部配管とを接続する作業は、スペースがない、狭い場所での作業であり、やりにくい作業であるが、これに対する配慮がなされていない。また、特に、天井埋込型空気調和機等の場合は、スペース的に制限され作業がやりにくいうえに、付着の露が天井等に滴下し、天井材等を汚損し易いという問題があった。
【０００４】
本発明はかかる問題を解消し、室内機本体の冷媒配管接続部の配管接続を容易とすることを目的とする。
また、断熱作業不備による露の滴下による汚損を防止することを目的とする。
また、冷媒配管接続部の断熱を不要とすることを目的とする。
【課題を解決するための手段】
【０００５】
本発明に係る室内機本体は、第１の外板と第２の外板とで形成された、外箱の切欠き部に配置された２個の冷媒配管接続部を有し、この２個の冷媒配管接続部は、第１の外板の面上に投影した２個の冷媒配管接続部の投影部が左右方向及び上下方向に間隔を有するように、配置されたものである。
【発明の効果】
【０００６】
本発明に係る室内機本体は、第１の外板の面上に投影した２個の冷媒配管接続部の投影部が左右方向及び上下方向に間隔を有するように、２個の冷媒配管接続部を、第１の外板と第２の外板とで形成された外箱の切欠き部に配置したので、開放側である室内機本体の下側及び側面側である第１の外板の対向側から冷媒配管接続部への外部冷媒配管の接続が容易にできる。
【発明を実施するための最良の形態】
【０００７】
以下、本発明の実施の形態を図面を参照して説明する。
実施の形態１．
図１は、本発明の実施の形態１による室内機本体を示す分解斜視図であり、図２は、同じく室内機本体の熱交換器、ファン、ドレンパン、吸込口及び吹出口を示す断面図であり、図３は、同じく室内機本体の冷媒配管、冷媒配管接続部、ドレンカバー及びドレンパンの関係を示す図であり、室内機本体の側面側から見た図であり、図４は、同じく室内機本体の冷媒配管接続部、配管固定板及び配管固定板取付部を示す図であり、室内機本体の背面側から見た図であり、図５は、同じく室内機本体の側面図であり、図６は、同じく室内機本体の配管固定板を凸側を表に取付けた状態を示す図であり、室内機本体の背面側から見た図であり、図７は、同じく室内機本体の配管固定板を凹側を表に取付けた状態を示す図であり、室内機本体の背面側から見た図であり、図８は、同じく室内機本体の配管接続部及び配管固定板を示す斜視図であり、図９は、同じく配管接続部に接続した外部冷媒配管を配管固定板に固定する状態を示す斜視図であり、図１０は、同じく室内機本体に接続する外部冷媒配管の断面図である。
【０００８】
室内機本体は、図１、図２に示すように、後側に配置され、ケーシング１内のファン２を回転駆動するモータ８、前側に配置され、冷媒配管内の冷媒とファン２により通風される空気とを熱交換させる熱交換器３、熱交換器３から滴下するドレンを溜めるドレンパン５、熱交換器３の冷媒配管の先端部である冷媒配管接続部７、７及び冷媒配管接続部７、７からの滴下水を受けドレンパン５に流すドレン受部品４等を外箱６内に収容したものである。そして、外箱６の底部の開口は底板１７で塞がれ、また、外箱６にはファン２の入口となる後側及び上側に設けられた吸込口及び出口となる前側に設けられた吹出口が設けられる。なお、図２の白抜きの矢印は、室内機本体の空気の吸込口及び吹出口を示す。
熱交換器３の液管及びガス管の２本の冷媒配管は、図示しない室外機本体に接続した外部冷媒配管９と接続される。この熱交換器３の冷媒配管と外部の外部冷媒配管９とは、熱交換器３の冷媒配管の先端部である２個の冷媒配管接続部７、７で接続される。
【０００９】
冷媒配管接続部７、７は、室内機本体内の熱交換器３側から外箱６の一部を構成する第１の外板６ａを突出する冷媒配管の先端部として、第１の外板６ａと同じく外箱６の一部を構成する第２の外板６ｂで形成された外箱６の切欠き部６Ａに配置される。即ち、室内機本体の前部に設置された熱交換器３の後側で、右側に、上下方向に配置された第１の外板６ａと、室内機本体の後部に設置されたファン２の右側部で、第１の外板６ａの左端から直交して、後方に延設された第２の外板６ｂとで形成された外箱６の右後部の切欠き部６Ａに、第１の外板６ａを直交して突出する熱交換器３の冷媒配管の先端部である冷媒配管接続部７、７が２個並んで配置される。
【００１０】
２個の冷媒配管接続部７、７の位置関係は、２個の冷媒接続配管７、７を配管突出方向に第１の外板６ａに投影した投影部が、左右方向に所定の間隔を有し、また、第２の外板６ｂに近い方が遠い方よりも所定量下となるようにされる。即ち、２個の冷媒配管接続部７、７は、左右に所定の間隔を開け、また、第２の外板６ｂ寄りの冷媒配管接続部７が所定量だけ下となるように上下に間隔を開け、第１の外板６ａに平行な面上で並んで配置される。そこで、室内機本体の背面側から見ると、図４、図６、図７に示すように右側を下とし左側を上とするように傾斜している。
【００１１】
冷媒配管接続部７、７の上方には、配管固定具取付部１１を設け、この配管固定具取付部１１に、冷媒配管接続部７、７に接続した外部冷媒配管９、９を配管固定具である配管固定板１０及び配管押え１６を使って固定する。配管固定具取付部１１は、第１の外板６ａと第２の外板６ｂ上部から冷媒配管接続部７、７の上方に延設する。この配管固定具取付部１１の底面は、冷媒配管接続部７、７の傾斜配置に従って、図４、図６、図７に示すように、室内機本体の背面側から見て、右側を下とし左側を上とするように傾斜して形成される。さらに、図５に示すように、配管固定具取付部１１の底面は、後側から前側に向かって上昇するように傾斜して形成される。そこで、冷媒配管接続部７、７を上下方向に間隔を開け、また、傾斜配置とすることにより、冷媒配管接続部７、７に対して、室内機本体の右側面側及び下方（ドレンパン５、底板１７、ドレン受部品４は取り外して行う）が開放され、外部冷媒配管の接続作業がやりやすくなる。また、接続後の外部冷媒配管９、９を固定する配管固定具を取付ける配管固定具取付部１１の底面を同じく傾斜させているので、接続後の外部冷媒配管９、９の固定もやりやすくなる。更に、配管固定具取付部１１の底面は、後側から前側に向かって上昇するように傾斜して形成されるので、冷媒配管接続部７、７と配管固定具取付部１１の底面との間隔が広がり、冷媒配管接続部７、７での接続の際、ナット締め等の作業がやりやすくなる。
なお、図１等に示すように、冷媒配管接続部７、７は、第１の外板６ａとの途中に支持板１５を設置しているが、このようにすれば、冷媒配管接続部７、７はより安定して設置できる。
【００１２】
冷媒配管接続部７、７に接続した外部冷媒配管９、９を固定する際に使用する配管固定板１０は、配管固定具取付部１１の底面にネジ止め等で取付けられるが、片面側に凸部１０ａ、反対の面側に凹部１０ｂが形成され、外部冷媒配管９の外径の大きさにより使いわける。即ち、標準の外部冷媒配管９では凸部１０ａ側が外側になるように取付けられ、断熱材を多くした径大の外部冷媒配管９に対しては、凹部１０ｂ側が外側になるように取付けられる。このようにして、２種類の径の異なる外部冷媒配管９に対して、接続時に、冷媒配管接続部７と外部冷媒配管９とのセンター合せを可能とする。図６は、配管固定板１０を凸部１０ａを外側に取付けた標準配管用であり、図７は、凹部１０ｂを外側に取付けた管径大用である。冷媒配管接続部７と配管固定板１０との距離ｃが図７の方が図６より大となり、外径が大の高断熱用冷媒配管の接続及び固定が可能となる。冷媒配管接続部７、７に接続した外部冷媒配管９、９は、配管固定板１０の面上に形成された２つの凸部又は凹部上で、図９に示すように配管押え１６により配管固定板１０に固定される。このように接続する外部冷媒配管９の外径により配管固定板１０の凸部１０ａと凹部１０ｂを使いわけることにより、後述の共通のドレン受け部品４が使用できる。
なお、図１０は、外部冷媒配管９の断面図であるが、銅管１３の外側に断熱材１４が巻かれている。外部冷媒配管９には、標準用（一般用）と高断熱用があり、高断熱用は標準用（一般用）と比較すると、断熱材１４が厚いため外径ｂが大きい。
【００１３】
図１に示すように、冷媒配管接続部７、７の下方にはドレン受部品４を設ける。ドレン受部品４は、配管接続部７、７を覆うカバーであり、上部及び熱交換器３側が開口し、熱交換器３と反対側に外部冷媒配管９の取出し用の２個の開口である外部冷媒配管９、９の通過口４ａ、４ａを有し、熱交換器３寄り側ほどカバー深さが増すカバーである。そして、両側の上部を配管固定板取付部１１にネジ止めにより取付ける。
このドレン受部品４は、図３に示すように、ドレンパン５に向かって傾斜し、取付により、先端部がドレンパン５上に配置される。そこで、冷媒配管接続部７、７の結露による水滴は、ドレン受部品４で受けドレンパン５に流すことができ、冷媒配管接続部７、７に断熱材を巻くというやっかいな作業をする必要がなくなる。
【００１４】
上記は、図１等に示すように、冷媒配管接続部７、７を室内機本体の右側後部の外箱６の切欠き部６Ａに配置したが、左側後部に外箱６の切欠き部６Ａを設けて、冷媒配管接続部７、７を配置してもよく、この場合も上記と同主旨の構造とすることにより、同様の効果が得られる。
【００１５】
また、冷媒配管接続部７、７の配置は、第２の外板６ｂ寄りを下にして傾斜させたが、第２の外板６ｂ寄りを上にして傾斜させてもよく、同様に冷媒配管接続部７、７に対して、室内機本体の右側面側及び下方が開放され、接続作業はやりやすくなる。但し、この場合は、配管固定具取付部１１の底面傾斜させずに、全体的に冷媒配管接続部７、７との間隔は大きくする。
【００１６】
本室内機本体においては、２個の冷媒配管接続部７、７を、第１の外板６ａの面上に投影した２個の冷媒配管接続部７、７の投影部が左右方向及び上下方向に間隔を有し、かつ、第２の外板６ｂに近い方の冷媒配管接続部７が遠い方の冷媒配管接続部７より下となるように傾斜して配置し、また、第１の外板６ａの上部と第２の外板６ｂの上部から、冷媒配管接続部７、７の上方に延設する一体の配管固定具取付部１１を設け、該配管固定具取付部１１の底面を２個の冷媒配管接続部７、７の傾斜した配置に対応して傾斜させたので、開放側である室内機本体の下側及び側面側である第２の外板６ｂの対向側から冷媒配管接続部７、７への外部冷媒配管９、９の接続が容易にでき、また、配管固定具取付部１１に取付けた配管固定具で冷媒配管接続部７、７に接続した外部冷媒配管９、９の固定作業が容易にできる。
【００１７】
また、本室内機本体においては、上部及び第１の外板６ａ側が開口し、第１の外板６ａ側と反対側に外部冷媒配管９、９が通る通過口４ａを有する断面略Ｕ字状のドレン受け部品４を、冷媒配管接続部７、７を下から囲うように、また、第１の外板６ａ側が下に傾くように設置し、冷媒配管接続部７、７からの滴下水を受け、第１の外板６ａ側の開口から下方に配置されたドレンパン５に流すので、冷房運転時に冷えて外気に触れて露が付く冷媒配管接続部７、７に断熱材を巻く作業が省略できる。
【００１８】
また、本室内機本体においては、断面略Ｕ字状のドレン受け部品４を、冷媒配管接続部７、７を下から囲うように配管固定具取付部１１に取付けるとともに、一方の面に凸部１０ａを有し、他方の面に凹部１０ｂを有する板状体である配管固定板１０を配管固定具取付部１１の底面に取付け、冷媒配管接続部７、７に接続した外部冷媒配管９、９の外径の大小に応じて、外径が大のときは、凹部側が外側となるように取付け、外径が小のときは、凸部側が外側となるように取付けたので、外径が大きい高断熱用の外部冷媒配管９、９を冷媒配管接続部７、７に接続してもドレン受け部品４の取付けが可能となる。
【００１９】
また、本室内機本体においては、配管固定具取付部１１の底面を２個の冷媒配管接続部７、７の傾斜した配置に対応して傾斜させるとともに、第１の外板６ａ側が反対側より上となるように傾けたので、冷媒配管接続部７、７で外部冷媒配管９、９を接続する際、ナット１２等を締め付けるスペースが広がり、締め付け作業が容易となる。
【００２０】
また、本室内機本体と、室内機本体に接続され、室内に空調空気を吹出す吹出グリルと、室内機本体に風路により接続され、室内の空気を吸込む吸込グリルと、室内機本体と冷媒配管である外部冷媒配管９、９で接続される室外機とを備えた空気調和機は、上記の作用効果を有する室内機本体により、冷媒配管接続部７、７での外部冷媒配管９、９の接続において、接続作業が容易、冷媒配管接続部７、７に断熱材を巻く作業が不要となる、接続する外部冷媒配管９、９の外径の大小によらずドレン受け部品４の取付けが可能、又はナット１２等での固定が容易等の効果を有する。
【産業上の利用可能性】
【００２１】
本発明の室内機本体は、特に、室内機本体を壁内、天井内又は床下等に設置する空気調和機に、有効に利用できる。
【図面の簡単な説明】
【００２２】
【図１】本発明の実施の形態１による室内機本体を示す分解斜視図である。
【図２】同じく室内機本体の熱交換器、ファン、ドレンパン、吸込口及び吹出口を示す断面図である。
【図３】同じく室内機本体の冷媒配管、冷媒配管接続部、ドレンカバー及びドレンパンの関係を示す室内機本体の側面側から見た図である。
【図４】同じく室内機本体の冷媒配管接続部、配管固定板及び配管固定具板取付部を示す室内機本体の背面側から見た図である。
【図５】同じく室内機本体の側面図である。
【図６】同じく室内機本体の配管固定板を凸側を表（外側）に取付けた状態を示す室内機本体の背面側から見た図である。
【図７】同じく室内機本体の配管固定板を凹側を表に取付けた状態を示す室内機本体の背面側から見た図である。
【図８】同じく室内機本体の配管接続部及び配管固定板を示す斜視図である。
【図９】同じく配管接続部に接続した外部冷媒配管を配管固定板に固定する状態を示す斜視図である。
【図１０】同じく室内機本体に接続する外部冷媒配管の断面図である。
【符号の説明】
【００２３】
２  ファン、３  熱交換器、４  ドレン受け部品、４ａ  ドレン受け部品の通過口、５  ドレンパン、６  外箱、６Ａ  外箱の切欠き部、６ａ  第１の外板、６ｂ  第２の外板、７  冷媒配管接続部、１０  配管固定板、１０ａ  凸部、１０ｂ  凹部、１１  配管固定具取付部。
【図１】
2005147487.tif 000003
【図２】
2005147487.tif 000004
【図３】
2005147487.tif 000005
【図４】
2005147487.tif 000006
【図５】
2005147487.tif 000007
【図６】
2005147487.tif 000008
【図７】
2005147487.tif 000009
【図８】
2005147487.tif 000010
【図９】
2005147487.tif 000011
【図１０】
2005147487.tif 000012